【事件の表示】
　特願２００４−３５０２０５「ピッキングシステム」拒絶査定不服審判事件〔平成１８年　６月２２日出願公開、特開２００６−１６０３８８〕について、次のとおり審決する。
【結　論】
　本件審判の請求は、成り立たない。
【理　由】
【１】手続の経緯・本願発明
　本件出願は、平成１６年１２月２日の出願であって、平成２０年１月４日付けの拒絶理由通知に対して、同年２月１３日付けで意見書及び手続補正書が提出されたが、同年８月４日付けで拒絶査定がなされ、これに対し、同年９月４日に拒絶査定に対する審判請求がなされるとともに、同年９月９日付けの手続補正書によって明細書及び特許請求の範囲を補正する手続補正がなされ、さらに、平成２１年１月２６日付けで上申書が提出され、その後、当審において平成２２年３月１９日付けで補正の却下の決定がなされて平成２０年９月９日付けの手続補正は却下されるとともに、当審において同年４月８日付けで拒絶理由通知がなされ、同年６月７日付けで意見書及び手続補正書が提出されたものであって、その請求項１ないし３に係る発明は、平成２２年６月７日付けの手続補正書により補正された明細書、特許請求の範囲及び出願当初の図面の記載からみて、特許請求の範囲の請求項１ないし３に記載された事項により特定されるとおりのものと認められるところ、その請求項１に係る発明（以下、「本願発明」という。）は次のとおりである。
　
　「【請求項１】
複数のキャリアに物品を収納してピッキングエリアに配置すると共に、作業者にピッキングする作業位置を指示するようにしたシステムにおいて、
　ロケーションにＩＤタグを設けてロケーションデータを記憶させ、キャリアにもＩＤタグを設けて収納物品の種類を特定する情報から成る物品のＩＤを記憶させると共に、
　ＩＤリーダライタを備えた作業者が装着自在な携帯端末で、携帯端末のＩＤリーダライタにより、ロケーションのＩＤタグからロケーションデータを読み取って、キャリアのＩＤタグにロケーションデータを書き込むものと、
　位置認識手段を備えたカートに設けられた車載端末で、ＩＤリーダライタと、ピッキングエリアの地図データの記憶部と、表示画面を備えた表示部と、ピッキングシステムを管理するコンピュータとの通信部、とを備えたものを設け、
　前記車載端末は、コンピュータからピッキングする物品のＩＤと個数のリストを入力され、車載端末のＩＤリーダライタにより、物品のＩＤをブロードキャストしてキャリアのＩＤタグからロケーションデータを受信し、受信したロケーションデータと、位置認識手段で認識したカートの位置とにより、記憶部の地図データを用いて、表示画面に作業位置を表示するように構成されている、ことを特徴とする、ピッキングシステム。」
　
　
【２】刊行物記載の発明
（１）当審の拒絶理由に引用された、本願の出願前に頒布された刊行物である特開平１−３１７９０４号公報（以下、「刊行物」という。）には、図面とともに次の事項が記載されている。
　
　（ア）「１）物品を格納する１以上の格納棚と、該格納棚に物品を搬入および搬出するための物品搬送装置に配置された端末装置と、
　該物品搬送装置の端末装置から物品に関係する情報および格納棚の棚番地情報を非接触で読取りおよび書込み可能な記憶装置と、
　前記物品搬送装置の端末装置との間で前記物品の入出庫に関係する情報の交信および処理を行う情報処理装置と、
を備え、前記記憶装置を前記物品または当該物品を載置する搬送台および前記格納棚に取付けてなることを特徴とする物流設備。」（特許請求の範囲の請求項１）
　
　（イ）「本発明は物品の搬送および入出庫にともなって物品に関する情報を記憶するための物流設備に関する。」（第１ページ左下欄第１８ないし２０行）
　
　（ウ）「このように、従来の物流設備においては、在庫情報の更新、製造コスト、操作性等に対して全体的にバランスの取れた物流設備がなかった。
　そこで、本発明の目的は、上述の欠点を除去し、物流設備における入出庫情報および在庫情報を精度が高く確実に情報処理装置に記憶させることができ、かつ物流変化に対して弾力性や柔軟性に優れ製造コストが廉価で、かつ情報の保存性に優れた物流設備を提供することにある。」（第２ページ右上欄第１５行ないし同ページ左下欄第３行）
　
　（エ）「本発明は物品を載置する搬送台および物品を格納する格納棚に例えばＲＡＭを用いた記憶装置が配置され、搬送台に配置された記憶装置には物品に関係する情報を倉庫に入庫する以前に書き込まれており、物品搬送装置により倉庫内を搬送中に該物品搬送装置に配置された端末装置から搬送台に配置された記憶装置の情報を読み出して情報処理装置に送信される。この情報を受信した情報処理装置は入庫情報として所定の記憶手段に記憶すると同時に前記搬送台の格納棚への棚番地情報を物品搬送装置の端末装置に送信する。この棚番地情報に基づいて物品搬送装置を該当する格納棚の棚番地に移送させて搬送台を棚に搬入する。このとき物品搬送装置の端末装置から格納棚に配置した記憶装置の棚番地情報を読み出し該端末装置において情報処理装置から指示された棚番地情報と前記読み出された棚番地情報とを比較して一致しているか否かを確認させる。これにより情報処理装置の記憶手段の所定のアドレスに記憶された物品に関係する情報と実際に倉庫の格納棚の所定の棚番地に搬入された物品とが一致するので、管理台帳としての情報処理装置における記憶手段に記憶された内容と格納棚に搬入された物品との一致精度が高くなる。
　倉庫から物品を搬出する際には、物品搬送装置の端末装置から情報処理装置を呼び出して出庫に関する情報を前記端末装置で受信する。出庫に関する情報には物品の種類，個数等と格納棚から搬出すべき棚番地情報が含まれており、これに基づいて物品搬送装置を指示された棚番地まで移送させる。ここで再び物品搬送装置の端末装置から格納棚に配置した記憶装置の棚番地情報を読み出して端末装置において棚番地情報を比較することにより出庫に関する情報と搬出される物品との一致性が確認され、一致が確認されると物品の搬出が行なわれる。
　また、棚卸しの際には端末装置から格納棚に配置された記憶装置の棚番地情報を読み出して情報処理装置に送信し、情報処理装置にて該棚番地情報に該当する物品に関係する情報を端末装置に送信する。端末装置では情報処理装置からの物品に関係する情報を表示することにより、格納棚位置で現物との照合が行なわれる。」（第２ページ左下欄第１７行ないし第３ページ左上欄第１９行）
　
　（オ）「第１図において、１は在庫情報を利用して商品の入出庫や在庫に関する統計処理や、その他、利用者が所望する演算処理を行い、情報処理装置としての機能を果たす中央装置である。中央装置１において、１−１は無線により情報を送信する送受信回路である。送受信回路１−１は後述の端末装置１０と通信を行い、パレットおよび格納棚に設けられた応答器２０から送られてくる在庫情報等を端末装置１０を中継して受信すると共に、中央装置１側から端末装置１０に対して、情報を送信する。
　１−２はコンピュータであり、送受信回路１−１から受信した情報を外部記憶装置（不図示）に記憶すると共に、表示装置に表示させる。
　１−３はコンピュータ１−２に対して情報を入力するキーボードである。
　このような中央装置１は倉庫や事務所内の一室に設置されている。」（第３ページ右上欄第５行ないし同ページ左下欄第２行）
　
　（カ）「１０は中央装置ｌと無線により情報の授受を行う端末装置であり、フォークリフトなどの物品搬送装置に設置されている。
　端末装置１０において、１０−１は中央装置１の送受信回路１−１と無線により情報の授受を行う送受信回路である。
　１０−２は本発明に係り、物品情報の書き込みおよび読み出しを後述の応答器２０に対して行う質問器であり、キーボード１０−３からの指示入力に応じて、応答器２０に対して動作指示を行い、例えば、応答器２０から電波により送信される物品情報を受信する。
　この受信された入出庫情報や物品情報は送受信回路１０−１を介して中央装置１に上記情報を転送する。
　端末装置１０と中央装置１とを無線により情報を授受することおよびその装置構成は公知なので詳細な説明を省略する。
　また、質問器１０−２はキーボード１０−３の操作又は中央装置１からの指示に従って応答器２０に呼び掛けを行ない、応答器２０に記憶された情報を受信及び更新を行う。
　このような端末装置１０は第２図に示すようにフォークリフトなどの物品搬送装置に設置されている。本例においては送受信回路１０−１をフォークリフトの天井に設置し、運転席の操作パネル近くに、キーボード１０−３および表示器１０−４を配置している。
　また、質問器１０−２は応答器２０と交信可能な位置に配置している。」（第３ページ左下欄第３行ないし同ページ右下欄第１８行）
　
　（キ）「応答器２０はそれぞれ質問器１０−２との間で電波により情報の授受が可能な記憶装置である。応答器２０の中で応答器20Aは第３図に示すようにその上に物品を載荷して搬出するパレット４０に設置される。応答器20Bは格納棚３０に配置されている。応答器20Aには入出庫時にそのパレット４０上に載荷された物品の種類，個数，製造年月日，入庫年月日等の物品情報を記憶するとともに応答器20A自身を識別するためのＩＤ情報（識別情報）を予め記憶させている。応答器20Bは、パレット４０を収納する格納棚３０に対して割り合てた棚番地および応答器20Bの識別のためのＩＤ情報を予め記憶する。」（第３ページ右下欄第２０行ないし第４ページ左上欄第１２行）
　
　（ク）「なお特定の応答器からの送信情報のみ受信したい場合は、第１送信回路の交信可能な範囲を応答器２０の配置間隔以内に設定したり、受信方向を限定するとよい。後述するように、複数の応答器と交信する場合には所望に応じて第１送信回路の交信範囲を定めればよい。」（第４ページ右上欄第１０ないし１５行）
　
　（ケ）「第６図は第２図示の質問器１０−２が実行する制御手順を示し、第７Ａ図，第７Ｂ図は応答器20A，Bが実行する制御手順を示す。これらの制御手順は、応答器20Aが設置されたパレット４０に載置された物品をフォークリフトにより倉庫に入庫する場合を示す。ここで、フォークリフトにより搬送されるパレット４０に設置された応答器20Aには、パレット４０上に載置された物品の一般情報が無線により非接触状態で書き込まれているものであり、応答器20Aには予じめＩＤ情報が登録されている。」（第４ページ右下欄第１７行ないし第５ページ左上欄第７行）
　
　（コ）「次に、端末装置１０の表示１０−４に第８図(A)に示すように表示された内容に従って操作者がフォークリフトにより、パレット４０および入庫物品を指定された格納棚３０まで搬送して所定の棚番地にパレット４０を移送させる。このとき操作者は端末装置１０のキーボード１０−３の所定のキーを操作して格納棚３０に配置された応答器20Bに呼び掛け命令を出力する（ステップＳ９）。これにより応答器20Bでは第７Ｂ図のステップＳ５１，５２の閉ループを抜け出してステップS53でＩＤ情報の確認を行う。応答器20BにおいてステップS53によりＩＤ情報が確認されるとステップS54に進んでＲＡＭ20-2に記憶された棚番地情報を読み出して送信する。この応答器20Bから送信された棚番地情報は端末装置１０の質問器１０−２により受信される。質問器１０−２は棚番地情報を受信するとステップS10から抜け出してステップS11にて質問器１０−２のＲＡＭｌ０−２Ｃに一時記憶されている棚番地と比較する。ステップS11の一致・不一致状態はステップ１２，１３によりそれぞれ表示装置１０−４（第５図参照）に表示して操作者に確認させ、不一致の場合はステップS9へ戻り、一致している場合には終了する。
　なお、応答器20Bからの棚番地情報と中央装置１から指示された棚番地とが不一致の場合に操作者の判断によりキーボード１０−３を操作して応答器20Bの棚番地情報を中央装置１に送信して中央装置１の棚番地を修正することもできる。
　上述のような手順でパレット４０上に載置された物品は格納棚３０に収納され、中央装置１には格納棚３０の各棚番地とその棚番地に収納した物品に関する入出庫情報が書き込まれる。
　なお、第７Ａ図において、ステップS 3 5，3 7は応答器20Aへの一般情報の書き込みであるが、これはパレット４０に物品が載置されて倉庫へ搬入される以前に他の書き込み手段により書き込まれる手順である。」（第５ページ右下欄第１行ないし第６ページ左上欄第１７行）
　
　（サ）「次に、格納棚３０からの物品を出庫するときにはフォークリフト上の端末装置１０のキーボード１０−３を操作して中央装置１を呼び出して出庫情報の要求を行なう。これに基づき中央装置１からフォークリフト上の端末装置１０へ第８図(B)に示すように出庫すべき物品コード、格納棚番地、個数、出庫日等の出庫情報が送信され表示装置１０−４に表示される。
　・・・（中略）・・・
　操作者はこの表示に基き、フォークリフトを指定された格納棚３０の棚番地へ移動させる。ここで再び端末装置１０の質問器１０−２から格納棚３０に配置した応答器20Bに呼び掛け信号を送信して応答器20Bからの棚番地情報を読み込み、端末装置１０内において前記棚番号情報が出庫情報として指定された棚番地と一致するか否かを判定する。この判定結果が「一致」の場合には端末装置１０の表示装置１０−４で確認してパレット40と共に指定物品をフォークリフトで搬出する。・・・（中略）・・・フォークリフトによる運び出しが終了すると端末装置１０から中央装置ｌに出庫実績として出庫情報が送信され、これにより中央装置１は在庫を確認する。」（第６ページ左上欄第１８行ないし同ページ左下欄第５行）
　
　（シ）「さらには、質問器１０−２を介さないと入出庫、在庫情報を知ることができないという点で、入出庫、在庫情報を機密にしておくことも可能であり、かつ応答器20A，Bの記憶情報に対する不正修正をも防止することができる。」（第６ページ右下欄第１１ないし１５行）
　
　（ス）「(1)　本実施例においては、端末装置１０を物品搬送装置に搭載しているが、端末器１０を携帯可能な大きさに一体構成し、操作者が端末装置１０を保持するようにしてもよい。」（第７ページ左上欄第３ないし６行）
　
　（セ）「さらに、格納棚に応答器を設置する代わりに搬送台に設置した応答器を用い、物品を格納棚に格納後搬送台の応答器に棚番地を書き込むことにより搬送台の応答器に格納棚に設置した応答器と同一の機能を持たせることができる。」（第７ページ右上欄第２ないし６行）
　
（２）ここで、上記（１）の（ア）ないし（セ）並びに図面からみて、次のことがわかる。
　（ソ）上記（１）の（ア）、（エ）、（オ）、（キ）及び（ケ）ないし（サ）並びに第１、３、６、７Ａ、７Ｂ及び８図からみて、物流設備は、搬送台であるパレット４０に物品を載荷してフォークリフトにより倉庫に入庫する場合、複数あるパレット４０に載荷された物品を、倉庫内にある１以上の格納棚３０のエリアに収納させていることがわかる。
　一方、物流設備は、格納棚３０から物品を出庫する場合、中央装置１から端末装置１０の表示装置１０−４に、指定物品を出庫のため判定し搬出するための作業位置である棚番地情報を送信して指示し、フォークリフトにより搬出させていることがわかる。
　
　（タ）上記（１）の（ア）、（エ）、（キ）、（ケ）、（コ）並びに第１、３、６、７Ａ、７Ｂ及び８図からみて、物流設備は、格納棚３０の棚番地を有する棚に非接触で読取り及び書込み可能な記憶装置である応答器20Bを設けて棚番地情報を記憶させ、一方、搬送台であるパレット４０にも非接触で読取り及び書込み可能な記憶装置である応答器20Aを設けて収納物品の種類，個数，製造年月日，入庫年月日等の物品情報を記憶させていることがわかる。
　
　（チ）上記（１）の（ア）、（エ）及び（カ）並びに第１及び２図からみて、物品搬送装置としてのフォークリフトに設けられた端末装置１０は、質問器１０−２と、表示画面を備えた表示装置１０−４と、物流設備を管理する中央装置１との送受信回路１０−１とを備えたものであることがわかる。
　
　（ツ）上記（１）の（ア）、（エ）、（カ）ないし（ク）、（コ）及び（サ）並びに第１、２，６、７Ａ、７Ｂ及び８図からみて、端末装置１０は、中央装置１から出庫すべき物品コード、格納棚番地、個数、出庫日等の出庫情報、すなわち、物品情報である物品コードと個数の２つを含む出庫情報を受信し、端末装置１０の質問器１０−２により、呼び掛け信号を送信してパレット４０の応答器20Aからの棚番地情報を受信し、受信した棚番地情報を端末装置１０内において判定し、判定結果が「一致」の場合には、端末装置１０の表示装置１０−４で確認することになるが、このとき、表示装置１０−４の表示画面には、第８図(B)に示されるように格納棚番地や物品コード等の情報が表示されており、したがって、前記判定結果が「一致」した格納棚番地が、指定物品をフォークリフトで搬出するための作業位置であることがわかる。
　
（３）上記（１）及び上記（２）並びに図面の記載を総合すると、刊行物には、次の発明（以下、「刊行物記載の発明」という。）が記載されているものと認められる。
　
　「複数のパレット４０に物品を載荷して倉庫内にある１以上の格納棚３０のエリアに収納すると共に、操作者に指定物品を出庫のため判定し搬出する作業位置を指示するようにした物流設備において、
　格納棚３０の棚番地を有する棚に応答器20Bを設けて棚番地情報を記憶させ、パレット４０にも応答器20Aを設けて収納物品の種類を特定する情報から成る物品情報を記憶させると共に、
　物品搬送装置としてのフォークリフトに設けられた端末装置１０で、質問器１０−２と、表示画面を備えた表示装置１０−４と、物流設備を管理する中央装置１との送受信回路１−１、とを備えたものを設け、
　前記端末装置１０は、中央装置１から指定物品を出庫のため判定し搬出する物品情報と個数の出庫情報を受信し、端末装置１０の質問器１０−２により、呼び掛け信号を送信して格納棚３０の棚番地を有する棚の応答器20Bから棚番地情報を受信し、受信した棚番地情報により、表示画面に作業位置を表示するように構成されている、物流設備。」
　
　
【３】対比
　本願発明と刊行物記載の発明とを対比すると、刊行物記載の発明における「パレット４０」は、その機能及び形状や構造からみて、本願発明における「キャリア」に相当し、以下同様に、「載荷して」は「収納して」に、「倉庫内にある１以上の格納棚３０のエリア」は「ピッキングエリア」に、「収納する」は「配置する」に、「操作者」は「作業者」に、「指定物品を出庫のため判定し搬出する」は「ピッキングする」に、「格納棚３０の棚番地を有する棚」は「ロケーション」に、「棚番地情報」は「ロケーションデータ」に、「物品情報」は「物品のＩＤ」に、「物品搬送装置としてのフォークリフト」は「カート」に、「端末装置１０」は「車載端末」に、「質問器１０−２」は「ＩＤリーダライタ」に、「表示装置１０−４」は「表示部」に、「中央装置１」は「コンピュータ」に、「送受信回路１−１」は「通信部」に、「出庫情報」は「リスト」に、「受信し」は「入力され」に、それぞれ相当する。
　また、刊行物記載の発明における「物流設備」は、その機能及び形状や構造からみて、本願発明における「システム」と「ピッキングシステム」とにそれぞれ相当する。
　さらに、刊行物記載の発明における「応答器20B」及び「応答器20A」は、「非接触で読取り及び書込み可能な記憶装置」の限りにおいて、それぞれ本願発明におけるロケーションの「ＩＤタグ」及びキャリアの「ＩＤタグ」に相当する。
　さらにまた、刊行物記載の発明における「呼び掛け信号を送信して格納棚３０の棚番地を有する棚の応答器20Bから」は、「呼び掛け信号を送信して非接触で読取り及び書込み可能な記憶装置から」の限りにおいて、本願発明における「物品のＩＤをブロードキャストしてキャリアのＩＤタグから」に相当する。
　したがって、本願発明と刊行物記載の発明は、次の一致点及び相違点を有するものである。
　
　＜一致点＞
　「複数のキャリアに物品を収納してピッキングエリアに配置すると共に、作業者にピッキングする作業位置を指示するようにしたシステムにおいて、
　ロケーションに非接触で読取り及び書込み可能な記憶装置を設けてロケーションデータを記憶させ、キャリアにも非接触で読取り及び書込み可能な記憶装置を設けて収納物品の種類を特定する情報から成る物品のＩＤを記憶させると共に、
　カートに設けられた車載端末で、ＩＤリーダライタと、表示画面を備えた表示部と、ピッキングシステムを管理するコンピュータとの通信部、とを備えたものを設け、
　前記車載端末は、コンピュータからピッキングする物品のＩＤと個数のリストを入力され、車載端末のＩＤリーダライタにより、呼び掛け信号を送信して非接触で読取り及び書込み可能な記憶装置からロケーションデータを受信し、受信したロケーションデータにより、表示画面に作業位置を表示するように構成されている、ピッキングシステム。」
　
　＜相違点＞
（１）相違点１（なお、括弧内に、相当する本願発明の発明特定事項を示す。）
　ロケーション及びキャリアの非接触で読取り及び書込み可能な記憶装置と、キャリアの非接触で読取り及び書込み可能な記憶装置にロケーションデータを書き込むことに関し、
　本願発明では、それぞれ「ＩＤタグ」であり、「ＩＤリーダライタを備えた作業者が装着自在な携帯端末で、携帯端末のＩＤリーダライタにより、ロケーションのＩＤタグからロケーションデータを読み取って、キャリアのＩＤタグにロケーションデータを書き込むもの」としているのに対し、刊行物記載の発明では、そせぞれ「応答器20B」及び「応答器20A」であるが、それぞれＩＤタグであるか明確でなく、本願発明のようなパレット４０（キャリア）の応答器20Aに棚番地情報（ロケーションデータ）を書き込みをしているか不明である点（以下、「相違点１」という。）。
　
（２）相違点２（なお、括弧内に、相当する本願発明の発明特定事項を示す。）
　端末に関し、
　本願発明では、「装着自在な携帯端末」及び「車載端末」を備えているのに対し、刊行物記載の発明では、端末装置１０（車載端末）を備えている点（以下、「相違点２」という。）。
　
（３）相違点３（なお、括弧内に、相当する本願発明の発明特定事項を示す。）
　呼び掛け信号を送信して非接触で読取り及び書込み可能な記憶装置からロケーションデータを受信することに関し、
　本願発明では、「物品のＩＤをブロードキャストしてキャリアのＩＤタグから」ロケーションデータを受信しているのに対し、刊行物記載の発明では、「呼び掛け信号を送信して格納棚３０の棚番地を有する棚（ロケーション）の応答器20Bから」ロケーションデータを受信している点（以下、「相違点３」という。）。
　
（４）相違点４
　車載端末で、表示画面に作業位置を表示することに関し、
　本願発明では、「位置認識手段を備えた」カートに設けられた車載端末で、車載端末は「ピッキングエリアの地図データの記憶部」も備え、「ロケーションデータと、位置認識手段で認識したカートの位置とにより、記憶部の地図データを用いて、」表示画面に作業位置を表示するのに対し、刊行物記載の発明では、物品搬送装置としてのフォークリフトに設けられた車載端末で、ロケーションデータにより、表示画面に作業位置を表示する点（以下、「相違点４」という。）。
　
　
【４】当審の判断
　上記各相違点について以下に検討する。
（１）相違点１について
　物流システムにおいて、ロケーション及びキャリアの非接触で読取り及び書込み可能な記憶装置として、それぞれＩＤタグを用い、キャリアのＩＤタグに物品のＩＤだけでなくロケーションデータも記憶させるようにした技術は従来周知の技術（以下、「周知技術１」という。必要があれば、例えば、当審の拒絶理由に例示された特開平３−３６１９９号公報の特に、第５ページ左上欄末行ないし同ページ右上欄第１２行及び第６ページ左上欄第１４行ないし同ページ右上欄第７行並びに第１、７及び１１図、当審の拒絶理由に例示された特開２００１−２２５９１５号公報の特に、段落【００１０】、【００１１】、【００１５】及び【００１８】並びに図１及び２参照。）である。
　また、物品の管理システム等において、ＩＤリーダライタを備えた作業者が装着自在な携帯端末で、携帯端末のＩＤリーダライタにより、ロケーションのＩＤタグからロケーションデータを読み取って、物品を設置したキャリアのＩＤタグ若しくは物品に直接配付したＩＤタグにロケーションデータを書き込む技術は従来周知の技術（以下、「周知技術２」という。必要があれば、例えば、当審の拒絶理由に例示された特開２００１−２５００８６号公報の特に、段落【０００６】、【００４１】、【００６７】、【００８０】及び【００８１】並びに図１、２及び１０ないし１２参照。）である。
　そうすると、刊行物記載の発明において、上記周知技術１を採用してロケーション及びキャリアの非接触で読取り及び書込み可能な記憶装置としての「応答器20B」及び「応答器20A」に代えてそれぞれ「ＩＤタグ」とし、またパレット４０の応答器20Aに物品情報だけでなくロケーションデータも記憶させるようにして、その際、書き込み方として上記周知技術２を採用し、当該相違点１に係る本願発明のようにすることは当業者が容易になし得ることである。
　
（２）相違点２について
　物流システムにおいて、作業者及び物品搬送車側の端末として、装着自在な携帯端末及び車載端末を備える技術は従来周知の技術（以下、「周知技術３」という。必要があれば、例えば、特開２００３−２８５９０８号公報の特に、【請求項６】及び段落【００２８】ないし【００３０】並びに図１４及び１５参照。）である。
　そうすると、刊行物記載の発明において、操作者（作業者）及び物品搬送装置としてのフォークリフト（カート）側の端末として、上記周知技術３を採用し、当該相違点２に係る本願発明のようにすることは当業者が容易になし得ることである。
　
（３）相違点３について
　物品の管理システム等において、物品のＩＤ等の物品情報をブロードキャストして物品を設置したキャリアのＩＤタグ若しくは物品に配付したＩＤタグからロケーションデータを得て、当該ロケーションデータに基づいて、物品の位置について作業者に対し何らかの信号を送るか、あるいは何らかの表示を行うかする技術は従来周知の技術（以下、「周知技術４」という。必要があれば、例えば、当審の拒絶理由に例示された特開昭６３−１７１７０３号公報の特に、請求項１、第２ページ左上欄末行ないし同ページ右上欄第８行、第２ページ左下欄第５ないし１６行及び第１図、当審の拒絶理由に例示された特開２０００−３０６０６２号公報の特に、段落【００６５】ないし【００７０】、図２、３及び５参照。）である。
　そうすると、刊行物記載の発明において、呼び掛け信号を送信して非接触で読取り及び書込み可能な記憶装置からロケーションデータを得る際、上記周知技術４を採用し、当該相違点３に係る本願発明のようにすることは当業者が容易になし得ることである。
　
（４）相違点４について
　物流システムにおいて、位置認識手段を備えた車載端末であって、車載端末は作業エリアの地図データも備え、ロケーションデータと、位置認識手段で認識した物品搬送装置の位置とにより、前記地図データを用いて、表示画面に作業位置を表示する技術は従来周知の技術（以下、「周知技術５」という。必要があれば、例えば、再公表特許ＷＯ９６／３０２８８の特に、第１５ページ第１３ないし２４行、第２４ページ第１３ないし１９行及び第２４ページ第２６行ないし第２５ページ第２行並びに図１ないし４参照。）である。
　そうすると、刊行物記載の発明において、車載端末で表示画面に作業位置を表示するのに際し、上記周知技術５を採用し、当該相違点４に係る本願発明のようにすることは当業者が容易になし得ることである。
　
　そして、本願発明を全体として検討しても、本願発明の奏する効果は刊行物記載の発明及び周知技術１ないし５から当業者が予測し得る程度のものである。
　
　
【５】むすび
　以上のとおり、本願発明は、刊行物記載の発明及び周知技術１ないし５に基いて当業者が容易に発明をすることができたものであるから、特許法第２９条第２項の規定により特許を受けることができない。 
　
　よって、結論のとおり審決する。